(57)【特許請求の範囲】
【請求項１】
無線通信システム（１０１）内の加入者識別モジュール関連データ（９０１）を通信するための構成（１、１ａ、１ｂ、１ｃ、１ｄ、１ｅ）であって、該構成は少なくとも第１の無線通信端末（４０３、４０３ａ、４０３ｂ、４０３ｅ、４０３ｆ）と加入者識別装置（３０３、３０３ａ、３０３ｂ、３０３ｃ）とを備え、該加入者識別装置（３０３、３０３ａ、３０３ｂ、３０３ｃ）は加入者識別（９０２）が割り当てられている加入者識別モジュール（２０１、２０１ａ）を含むようにし、前記加入者識別装置（３０３、３０３ａ、３０３ｂ、３０３ｃ）は前記無線通信システム（１０１）内の前記第１の無線通信端末（４０３、４０３ａ、４０３ｂ、４０３ｅ、４０３ｆ）へ認証を与える手段を含む前記構成において、
前記加入者識別装置（３０３、３０３ａ、３０３ｂ、３０３ｃ）は、前記第１の無線通信端末（４０３、４０３ａ、４０３ｂ、４０３ｅ、４０３ｆ）から切り離され、前記加入者識別装置（３０３、３０３ａ、３０３ｂ、３０３ｃ）は第１の通信手段（３０４）を備え、前記第１の無線通信端末（４０３、４０３ａ、４０３ｂ、４０３ｅ、４０３ｆ）は第２の通信手段（４０１、４０１ａ、４０１ｂ）を備え、前記第１の通信手段（３０４）は、該第１の通信手段（３０４）と前記第２の通信手段（４０１、４０１ａ、４０１ｂ）との間に確立されたローカル無線通信リンク（４０４、４０４ａ、４０４ｂ、４０４ｃ、４０４ｄ）を介して前記第２の通信手段（４０１、４０１ａ、４０１ｂ）と前記加入者識別モジュール関連データ（９０１）を通信するように構成され、前記ローカル無線通信リンク（４０４、４０４ａ、４０４ｂ、４０４ｃ、４０４ｄ）は、前記第１の無線通信端末（４０３、４０３ａ、４０３ｂ、４０３ｅ、４０３ｆ）が前記無線通信システム（１０１）で通信中に確立されるように構成されたことを特徴とする構成。
【請求項２】
請求項１に記載の構成（１、１ａ、１ｂ、１ｃ、１ｄ、１ｅ）において、
前記加入者識別モジュール関連データ（９０１）は少なくとも前記加入者識別（９０２）であり、前記第１の無線通信端末（４０３、４０３ａ、４０３ｂ、４０３ｅ、４０３ｆ）には前記無線通信システム（１０１）における認証が与えられることを特徴とする構成。
【請求項３】
請求項１から２のいずれかに記載の構成（１、１ｃ、１ｄ）において、
前記加入者識別装置（３０３、３０３ａ、３０３ｂ、３０３ｃ）が加入者識別端末（３０２）に含まれることを特徴とする構成。
【請求項４】
請求項１から２のいずれかに記載の構成（１ａ、１ｂ、１ｅ）において、
前記加入者識別装置（３０３、３０３ａ、３０３ｂ、３０３ｃ）は第２の無線通信端末（４０３ｃ、４０３ｄ）に含まれることを特徴とする構成。
【請求項５】
上記のいずれかの請求項に記載の構成において、
前記構成は少なくとも２台の無線通信端末（４０３、４０３ａ、４０３ｂ、４０３ｅ、４０３ｆ）を備え、前記加入者識別モジュール関連データ（９０１）は１度に少なくとも１台の前記無線通信端末（４０３、４０３ａ、４０３ｂ、４０３ｅ、４０３ｆ）と通信するように構成することを特徴とする構成。
【請求項６】
上記いずれかの請求項に記載の構成（１、１ａ、１ｂ、１ｃ、１ｄ、１ｅ）において、
前記ローカル無線通信リンク（４０４、４０４ａ、４０４ｂ、４０４ｃ、４０４ｄ）は無線周波数範囲内にあることを特徴とする構成。
【請求項７】
請求項６に記載の構成（１、１ａ、１ｂ、１ｃ、１ｄ、１ｅ）において、
前記ローカル無線通信リンク（４０４、４０４ａ、４０４ｂ、４０４ｃ、４０４ｄ）は、約２．４ＧＨｚの周波数範囲内にあることを特徴とする構成。
【請求項８】
請求項１から５のいずれかに記載の構成（１、１ａ、１ｂ、１ｃ、１ｄ、１ｅ）において、
前記ローカル無線通信リンク（４０４、４０４ａ、４０４ｂ、４０４ｃ、４０４ｄ）は、赤外線周波数範囲内にあることを特徴とする構成。
【請求項９】
無線通信システム（１０１）内の局（３０２、３０３、３０３ａ、３０３ｂ、３０３ｃ、４０３ｃ、４０３ｄ）に加入者識別装置（３０３、３０３ａ、３０３ｂ、３０３ｃ）を備え、該加入者識別装置（３０３、３０３ａ、３０３ｂ、３０３ｃ）は加入者識別（９０２）が割り当てられている加入者識別モジュール（２０１、２０１ａ）を含むようにし、かつ前記加入者識別装置（３０３、３０３ａ、３０３ｂ、３０３ｃ）は前記無線通信システム（１０１）内の第１の無線通信端末（４０３、４０３ａ、４０３ｂ、４０３ｅ、４０３ｆ）へ認証を与える手段を含む、前記局において、
前記加入者識別装置（３０３、３０３ａ、３０３ｂ、３０３ｃ）は、確立されたローカル無線通信リンク（４０４、４０４ａ、４０４ｂ、４０４ｃ、４０４ｄ）を介して加入者識別モジュール関連データ（９０１）を通信するように構成された第１の通信手段（３０４）を備え、前記ローカル無線通信リンク（４０４、４０４ａ、４０４ｂ、４０４ｃ、４０４ｄ）は、前記第１の無線通信端末（４０３、４０３ａ、４０３ｂ、４０３ｅ、４０３ｆ）が前記無線通信システム（１０１）で通信中に確立されるように構成されていることを特徴とする局。
【請求項１０】
請求項９に記載の局において、
前記加入者識別モジュール関連データ（９０１）は、少なくとも、前記加入者識別（９０２）であることを特徴とする局。
【請求項１１】
請求項９または１０のいずれかに記載の局（３０３、３０３ａ、３０３ｂ、３０３ｃ）において、
前記局は前記加入者識別装置（３０３、３０３ａ、３０３ｂ、３０３ｃ）であることを特徴とする局。
【請求項１２】
請求項９または１０のいずれかに記載の局（３０２）において、
前記局は加入者識別端末（３０２）であることを特徴とする局。
【請求項１３】
請求項９または１０のいずれかに記載の局（４０３ｃ、４０３ｄ）において、
前記局は無線通信端末（４０３ｃ、４０３ｄ）であることを特徴とする局。
【請求項１４】
請求項９から１３のいずれかに記載の局において、
前記ローカル無線通信リンク（４０４、４０４ａ、４０４ｂ、４０４ｃ、４０４ｄ）は無線周波数範囲内にあることを特徴とする局。
【請求項１５】
請求項１４に記載の局において、
前記ローカル無線通信リンク（４０４、４０４ａ、４０４ｂ、４０４ｃ、４０４ｄ）は、約２．４ＧＨｚの周波数範囲内であることを特徴とする局。
【請求項１６】
請求項９から１３のいずれかに記載の局において、
前記ローカル無線通信リンク（４０４、４０４ａ、４０４ｂ、４０４ｃ、４０４ｄ）は、赤外線周波数範囲内にあることを特徴とする局。
【請求項１７】
少なくとも第１の無線通信端末（４０３、４０３ａ、４０３ｂ、４０３ｅ、４０３ｆ）のための無線通信システム（１０１）内の加入者識別モジュール関連データ（９０１）を通信するための方法であって、該方法は加入者識別装置（３０３、３０３ａ、３０３ｂ、３０３ｃ）を使用し、該加入者識別装置（３０３、３０３ａ、３０３ｂ、３０３ｃ）は加入者識別モジュール（２０１、２０１ａ）を含むようにし、前記加入者識別装置（３０３、３０３ａ、３０３ｂ、３０３ｃ）は前記無線通信システム（１０１）内の前記第１の無線通信端末（４０３、４０３ａ、４０３ｂ、４０３ｅ、４０３ｆ）へ認証を与える手段を含む、前記方法において、
前記加入者識別モジュール（２０１、２０１ａ）に加入者識別（９０２）を割り当てるステップを備え、
前記第１の無線通信端末（４０３、４０３ａ、４０３ｂ、４０３ｅ、４０３ｆ）から前記加入者識別装置（３０３、３０３ａ、３０３ｂ、３０３ｃ）を切り離すステップと、
少なくとも前記加入者識別装置（３０３、３０３ａ、３０３ｂ、３０３ｃ）の第１の通信手段（３０４）から前記第１の無線通信端末（４０３、４０３ａ、４０３ｂ、４０３ｅ、４０３ｆ）の第２の通信手段（４０１、４０１ａ、４０１ｂ）への前記ローカル無線通信リンク（４０４、４０４ａ、４０４ｂ、４０４ｃ、４０４ｄ）を介して通信を確立するステップと、
前記ローカル無線通信リンク（４０４、４０４ａ、４０４ｂ、４０４ｃ、４０４ｄ）を介し、前記第１の通信手段（３０４）により前記加入者識別モジュール関連データ（９０１）を前記第２の通信手段（４０１、４０１ａ、４０１ｂ）と通信するステップであって、前記ローカル無線通信リンク（４０４、４０４ａ、４０４ｂ、４０４ｃ、４０４ｄ）は、前記第１の無線通信端末（４０３、４０３ａ、４０３ｂ、４０３ｅ、４０３ｆ）が前記無線通信システム（１０１）で通信中に確立されるように構成する、前記通信するステップと、
を備えたことを特徴とする方法。
【請求項１８】
請求項１７に記載の方法において、
少なくとも前記加入者識別（９０２）である前記加入者識別モジュール関連データ（９０１）を通信するステップと、
前記無線通信システム（１０１）内の第１の無線通信端末（４０３、４０３ａ、４０３ｂ、４０３ｅ、４０３ｆ）へ認証を与えるステップと、
を含むことを特徴とする方法。
【請求項１９】
請求項１７または１８のいずれかに記載の方法において、
前記加入者識別装置（３０３、３０３ａ、３０３ｂ、３０３ｃ）を加入者識別端末（３０２）に含むことを特徴とする方法。
【請求項２０】
請求項１７または１８のいずれかに記載の方法において、
前記加入者識別装置（３０３、３０３ａ、３０３ｂ、３０３ｃ）を第２の無線通信端末（４０３ｃ、４０３ｄ）に含むことを特徴とする方法。
【請求項２１】
請求項１７から２０のいずれかに記載の方法において、
前記加入者識別モジュール関連データ（９０１）を少なくとも２台のうちの少なくとも１台の無線通信端末（４０３、４０３ａ、４０３ｂ、４０３ｅ、４０３ｆ）と１度に通信することを特徴とする方法。
【請求項２２】
請求項２１に記載の方法において、
前記加入者識別モジュール関連データ（９０１）を少なくとも２台のうちの１台の無線通信端末（４０３、４０３ａ、４０３ｂ、４０３ｅ、４０３ｆ）と１度に通信することを特徴とする方法。
【請求項２３】
請求項２２に記載の方法において、
前記加入者識別装置（３０３、３０３ａ、３０３ｂ、３０３ｃ）の制御下にある前記無線通信端末（４０３、４０３ａ、４０３ｂ、４０３ｅ、４０３ｆ）のいずれかに入力呼出しを進路付けすることを特徴とする方法。
【請求項２４】
請求項２２に記載の方法において、
前記加入者識別装置（３０３、３０３ａ、３０３ｂ、３０３ｃ）の制御下にある前記無線通信端末（４０３、４０３ａ、４０３ｂ、４０３ｅ、４０３ｆ）のいずれかからの出力呼出しを進路付けすることを特徴とする方法。
【請求項２５】
請求項２２に記載の方法において、
前記無線通信端末（４０３、４０３ａ、４０３ｂ、４０３ｅ、４０３ｆ）間の相互優先順位に従い、前記無線通信端末（４０３、４０３ａ、４０３ｂ、４０３ｅ、４０３ｆ）のいずれかに入力呼出しを進路付けすることを特徴とする方法。
【請求項２６】
請求項２２に記載の方法において、
前記無線通信端末（４０３、４０３ａ、４０３ｂ、４０３ｅ、４０３ｆ）間の相互優先順位に従い、前記無線通信端末（４０３、４０３ａ、４０３ｂ、４０３ｅ、４０３ｆ）のいずれかからの出力呼出しを進路付けすることを特徴とする方法。
【請求項２７】
請求項２５または２６のいずれかに記載の方法において、
前記相互優先順位に関する情報を前記加入者識別装置（３０３、３０３ａ、３０３ｂ、３０３ｃ）のメモリー（５０２）に記憶させることを特徴とする方法。
【請求項２８】
請求項２５または２６のいずれかに記載の方法において、
入力呼出しまたは出力呼出しがそれぞれ提供するサービスのタイプに従い、前記相互優先順位を変化させることを特徴とする方法。
【請求項２９】
請求項２５または２６のいずれかに記載の方法において、
前記加入者識別装置（３０３、３０３ａ、３０３ｂ、３０３ｃ）により前記相互優先順位を自動的に決定することを特徴とする方法。
【請求項３０】
請求項２５または２６のいずれかに記載の方法において、
入力呼出しの加入者識別（９０２）により、前記相互優先順位を自動的に決定することを特徴とする方法。
【請求項３１】
請求項２５または２６のいずれかに記載の方法において、
前記加入者識別装置（３０３、３０３ａ、３０３ｂ、３０３ｃ）か、または前記無線通信端末（４０３、４０３ａ、４０３ｂ、４０３ｅ、４０３ｆ）のいずれか、のユーザインターフェースを介し、前記無線通信端末（４０３、４０３ａ、４０３ｂ、４０３ｅ、４０３ｆ）により手動操作で前記相互優先順位を決定することを特徴とする方法。
【請求項３２】
請求項１７から３１のいずれかに記載の方法において、
前記無線周波数範囲内にある前記ローカル無線通信リンク（４０４、４０４ａ、４０４ｂ、４０４ｃ、４０４ｄ）を介し、前記加入者識別モジュール関連データ（９０１）を通信することを特徴とする方法。
【請求項３３】
請求項３２に記載の方法において、
前記約２．４ＧＨｚの周波数範囲内にある前記ローカル無線通信リンク（４０４、４０４ａ、４０４ｂ、４０４ｃ、４０４ｄ）を介し、前記加入者識別（９０２）を通信することを特徴とする方法。
【請求項３４】
請求項１７から３１のいずれかに記載の方法において、
前記赤外線周波数範囲内にある前記ローカル無線通信リンク（４０４、４０４ａ、４０４ｂ、４０４ｃ、４０４ｄ）を介し、前記加入者識別（９０２）を通信することを特徴とする方法。
【発明の詳細な説明】
【０００１】
（技術分野）
本発明は、無線通信システムにおいて加入者識別モジュール関連データを通信するための構成に関する。この構成は、加入者識別装置を有する少なくとも１台の無線通信端末を備えていて、その加入者識別装置には、加入者識別が割り当てられている加入者識別モジュールが含まれる。本発明は、加入者識別装置を含む局にも関する。また本発明は、無線通信システムにおいて加入者識別モジュール関連データの通信する方法にも関し、加入者識別装置を備えた無線通信端末で実現できるようにしている。
【０００２】
（関連技術の説明）
加入者識別は、加入者識別媒体を使用する無線通信システムの端末に割り当てられる。無線通信システムは、通信サービスを要求している加入者がシステム提供通信サービスを受ける資格がある加入者であるかどうかを、端末に接続されている加入者識別モジュール（ＳＩＭ）により判別している。
【０００３】
「端末」という用語は、無線通信端末とも呼ばれ、加入者識別が割り当てられているすべての携帯無線通信装置が含んでいる。例えば、移動電話、連絡機構、つまりいわゆる電子手帳、などである。無線通信システムは、例えば、ＧＳＭ（移動通信用グローバルシステム）などの任意のセルラー移動電話システムであっても、衛星遠隔通信システムであってもよい。
【０００４】
ＳＩＭは、ＧＳＭネットワークで実現されているものとして説明する。この場合、ＳＩＭはＲＯＭ（読取り専用メモリー）、ＲＡＭ（読取りアクセスメモリー）、ＥＥＰＲＯＭ（電気的消去可能ＰＲＯＭ）、プロセッサ装置、及び端末とのインターフェースを備えたカードとして実現されている。ＳＩＭのメモリーには加入者識別が記憶されていて、これは、ＧＳＭネットワークで使用される国際移動加入者識別（ＩＭＳＩ）である。端末は、有効なＳＩＭが存在している場合だけ操作が許可される。ただし緊急呼出しは別で、この場合は特別に操作が許可されている。ＳＩＭは、端末のユーザを検査するため及びユーザをＧＳＭネットワークに認証するためのセキュリティ機能をサポートしている。ＳＩＭは、４桁から８桁で構成されている個人識別番号（ＰＩＮ）を操作できる。不正なＰＩＮを端末に入力すると、該端末のユーザにその旨表示される。３回続けて不正な入力をすると、ＳＩＭはブロックされる。ＳＩＭがブロックされると、ＧＳＭネットワーク操作の禁止状態になる。また、ＳＩＭには、ＧＳＭネットワーク操作に関する情報要素も含まれている。これらの要素は、移動体加入者、ＧＳＭサービス、及び公衆地上移動電話網（ＰＬＭＮ）関連情報に関連付けることができる。
【０００５】
上記で説明した無線通信システムでは、複数の端末が同じ加入者識別を共有し、しかも複数の加入について支払いをしなくても済むと便利である。
【０００６】
欧州特許第７１１，０９０号では、無線通信システムを記述している。このシステムでは、カードとして製品化され移動局に搭載される複数の加入者識別モジュールが１つの国際加入者識別を共用している。したがって、１つの加入者識別情報を共用する複数の加入者識別媒体を使用可能な無線通信システムが提供される。これにより、複数の異なった移動局が同じ国際移動加入者識別を使用でき、しかも、ユーザは複数の加入支払いをしなくてもよい。
【０００７】
ＷＯ  ９４／０８４３３号も無線通信システムについて記述している。この無線システムでは、複数の移動局が同じ国際移動加入者識別を使用でき、しかも、ユーザは複数の加入支払いをしなくてもよい。
【０００８】
上記の関連技術では、複数の端末が同じ加入者識別を共用し、しかも、複数の加入支払いをしなくてもよい無線通信システムについて記述している。しかし、上記の関連技術で記述している加入者識別モジュールには、大きな欠点がある。それは、加入者識別モジュールは、経済取引きのカードなど、上記で説明した機能以外の機能も合わせ持っているという点である。したがって、加入者識別モジュールは、クレジットカードまたはキャッシュカード（あるいはその両方）などにも使用されることがある。その場合、加入者識別モジュールを端末に接続するのは不利である。上記の関連技術で説明している加入者識別モジュールには、他にも欠点がある。それは、メール、アドレス帳情報、及び移動局のカレンダなどの情報を別の移動局に接続した別の加入者識別モジュールに保管しておくと、それらの情報を一致させるためには同期させる必要があるという点である。
【０００９】
（発明の要約）
本発明で扱う一般的な問題は、無線通信システムにおける無線通信端末の加入者識別モジュール関連データを通信するための構成と方法を提供することにある。
【００１０】
本発明で扱うさらに具体的な問題は、共通の加入者識別を共用する少なくとも２台の無線通信端末の加入者識別モジュール関連データを通信するための構成と方法を提供することであって、加入者識別は、特定の時点では無線通信端末のいずれかに割り当てるというものである。
【００１１】
本発明で扱うさらに具体的な問題は、同じ加入者識別が同時に割り当てられる少なくとも２台の無線通信端末の加入者識別モジュール関連データを通信するための構成と方法を提供することにある。
【００１２】
本発明で扱うさらに具体的な問題は、無線通信システムにおける無線通信端末の加入者識別モジュール関連データを通信するための構成と方法を提供することであって、加入者識別モジュールは、無線通信端末が無線システムで通信している間は無線通信端末から切り離す。
【００１３】
この問題は、主に、無線通信システムにおける加入者識別モジュール関連データを通信するための構成で解決される。この構成は、無線通信端末と加入者識別装置とを備えている。加入者識別装置には、加入者識別が割り当てられている加入者識別モジュールが含まれている。この装置を、加入者識別モジュール関連データをローカル無線通信リンクを介して端末と通信するように構成する。
【００１４】
本発明による構成により、端末が無線システムで通信中は、加入者識別装置を端末から切り離すことができる。
【００１５】
より具体的には、本発明は、加入者識別装置を備えた局にも関する。
【００１６】
より正確には、本発明は、無線通信システムにおいて加入者識別装置を備えた無線通信端末で実現する方法にも関する。
【００１７】
本発明の一般的な目的は、無線通信システムにおいて無線通信端末の加入者識別モジュール関連データを通信するための構成と方法を提供することにある。
【００１８】
本発明の別の目的は、共通の加入者識別を共用する少なくとも２台の無線通信端末の加入者識別モジュール関連データを通信するための構成と方法を提供することであって、この場合、特定の時点では、加入者識別は無線通信端末のいずれかに割り当てられる。
【００１９】
本発明のさらに別の目的は、同じ加入者識別が同時に割り当てられている少なくとも２台の無線通信端末の加入者識別モジュール関連データを通信するための構成と方法を提供することにある。
【００２０】
本発明のさらに別の目的は、加入者識別モジュール関連データを通信するための構成と方法を提供することであって、この構成と方法では、無線システムで端末が通信中は、加入者識別装置を端末から切り離すことができる。
【００２１】
本発明から得られる一般的な利点は、無線通信システムにおける無線通信端末の加入者識別モジュール関連データを通信するための構成と方法が提供されることである。
【００２２】
本発明のさらに具体的な利点は、共通の加入者識別を共用する少なくとも２台の無線通信端末の加入者識別モジュール関連データを通信するための構成と方法であって、特定の時点では加入者識別は無線通信端末のいずれかに割り当てられる構成と方法が提供されることである。
【００２３】
本発明のさらに具体的な利点は、同じ加入者識別が同時に割り当てられる少なくとも２台の無線通信端末の加入者識別モジュール関連データを通信するための構成と方法が提供されることである。
【００２４】
本発明により得られるさらに具体的な利点は、無線通信端末の複数のユーザが同じ加入者識別を使用しても複数の加入支払いをしなくてもよい構成と方法が提供されることである。また、同じ電話番号が複数の無線通信端末で使用できるのも便利である。
【００２５】
本発明により得られるさらに別の具体的な利点は、無線通信システムにおける無線通信端末の加入者識別モジュール関連データを通信するための構成と方法であって、無線通信端末が無線システムで通信中は、加入者識別モジュールが無線通信端末から切り離される構成と方法が提供されることである。
【００２６】
本発明により得られるさらに具体的な利点は、無線通信端末のユーザが加入者識別モジュールを端末に組み込まなくてもよいことである。
【００２７】
本発明により得られるさらに別の利点は、どの加入者識別を端末に割り当てるかについて無線通信端末のユーザが容易に変更できる点である。
【００２８】
本発明により得られるさらに具体的な利点は、メール、アドレス帳情報、及び端末のカレンダなど、加入者識別モジュールに保管される情報を無線通信端末の複数のユーザが使用できる点である。
【００２９】
以下に、本発明の各種側面を説明している添付図面を参照して、本発明を実施例により詳細に説明する。本発明は、これらの実施例に限定されていない。
【００３０】
（実施例の詳細な説明）
図１は、ＧＳＭネットワークである無線通信システム１０１の一部を示す概略図である。無線通信システム１０１が網羅する地理的エリアは、セルＣ１からＣ５に分割されている。各セルＣ１からＣ５は特定エリアの無線を網羅していて、当該エリアで通信を行うために特定の周波数セットを割り当てられている。
【００３１】
各セルＣ１からＣ５は、ＧＳＭの用語で基地トランシーバ局（ＢＴＳ）と呼ばれる１つの基地局（ＢＴＳ１からＢＴＳ５）のサービスを受けている。基地トランシーバ局には、無線通信端末４０３との送受信を行うための手段が備わっている。端末４０３の現在位置は、図１のセルＣ１である。端末４０３の現在位置であるセルＣ１はサービスセルと呼ばれ、当該セルにサービスを実施している基地トランシーバ局ＢＴＳ１はサービス基地トランシーバ局と呼ばれる。
【００３２】
端末４０３は、無線通信システム１０１の基地トランシーバ局（ＢＴＳ１からＢＴＳ５）と通信するための手段を備え、無線通信システム１０１が提供している通信サービスにアクセスするために加入者により使用される。基地トランシーバ局の各グループは、基地局コントローラ（ＢＳＣ１からＢＳＣ２）により制御される。幾つかの基地局コントローラ（ＢＳＣ１からＢＳＣ２）は、移動交換局ＭＳＣによりコントロールされる。移動交換局ＭＳＣは、当該移動交換局ＭＳＣがサービスを提供しているエリア内の移動局との呼出しの切替えを行う。
【００３３】
端末４０３との間で呼出しが確立されると、端末４０３とサービス基地トランシーバ局ＢＴＳ１との間の通信に使用する通信チャネルＣＨがその呼出しに割り当てられる。
【００３４】
交換局ＭＳＣは、ＧＳＭネットワーク内のトラフィックの制御、及びこのネットワークと他のネットワーク（例えば、公衆電話網ＰＳＴＮ（公衆電話交換網）あるいは他の事業者のＧＳＭネットワーク（図１には示されていない）、など）とのトラフィックの制御を行えるようになっている。
【００３５】
２つの異なったレジスタも、交換局ＭＳＣに接続されている。すなわち、システム自身の加入者の情報を記憶しているホームロケーションレジスタＨＬＲと、当該ＧＳＭネットワークの網羅エリアに存在していてアクティブ状態であるために登録されたビジターの情報を記憶しているビジターロケーションレジスタＶＬＲである。ビジターは、ホーム加入者か別のＧＳＭ事業者の加入者かのいずれかである。ビジターロケーションレジスタＶＬＲに含まれる情報は加入者のホームロケーションレジスタＨＬＲから常に取り出され、加入者の識別９０２（図９を参照）が含まれているため、ビジターを明確に識別しアドレス指定できる。ＧＳＭネットワークでは、加入者の識別は国際移動加入者識別（ＩＭＳＩ）と呼ばれている。登録されたビジターがビジターロケーションレジスタＶＬＲと関連するネットワークでアクティブでなくなると、ビジターロケーションレジスタに含まれるそのビジターの情報は消去できる。これは、そのビジターが再びアクティブになったら、ホームロケーションレジスタＨＬＲから取り出せるようにするためである。
【００３６】
請求管理サポートシステムＢＡＳＳを、交換局ＭＳＣ、ホームロケーションレジスタＨＬＲ、及びビジターロケーションレジスタＶＬＲに接続できる。請求管理サポートシステムＢＡＳＳは事業者のサービスで、端末４０３の加入者識別モジュール２０１（図２を参照）がクレジットカードまたはキャッシュカードとして使われている場合、請求管理をサポートする。
【００３７】
本発明による無線通信システム１０１は、ＧＳＭネットワークに限定されていない。このシステムは、ＰＣＳネットワークなどのセルラー携帯電話システム、衛星通信システム、またはシステム内でアクティブな各無線通信端末に加入者識別９０２が割り当てられる他の無線通信システムなどでもよい。ＧＳＭネットワークで使用されるアクセス方式は、時分割多元接続（ＴＤＭＡ）である。しかし、本発明による無線通信システムでは、周波数分割多元接続（ＦＤＭＡ）または符号分割多元接続（ＣＤＭＡ）などの他の任意のアクセス方式も使用できる。
【００３８】
図２は、加入者識別モジュール２０１のブロック図を示したものである。
【００３９】
図２の周知の加入者識別モジュール２０１は、ＧＳＭネットワークで実際に使用されているものを説明する。加入者識別モジュール２０１はカードとして実現されていて、このカードには読取り専用メモリーＲＯＭ、読取りアクセスメモリーＲＡＭ、電気的消去可能ＲＯＭ  ＥＥＰＲＯＭ、プロセッサ装置ＣＰＵ、および端末のインターフェースＩ／Ｏとを備えている。加入者識別モジュール２０１のメモリーは、加入者識別９０２を記憶する（図９を参照）。この識別は、ＧＳＭネットワークで使用している国際移動加入者識別ＩＭＳＩである。端末４０３を操作できるのは、加入者識別モジュール２０１が有効な場合だけである。ただし緊急呼出しの場合は例外で、操作は許可される。加入者識別モジュール２０１は、無線端末４０３のユーザを検査するため及びユーザをネットワークに識別されるためのセキュリティ機能をサポートしている。加入者識別モジュール２０１は、４桁から８桁で構成される個人識別番号ＰＩＮを処理できる。不正なＰＩＮが端末４０３に入力されると、端末４０３のユーザにその旨の通知がなされる。不正な入力を３回連続して行うと、加入者識別モジュール２０１はブロックされる。加入者識別モジュール２０１がブロックされると、モジュールはＧＳＭネットワーク操作の禁止状態になる。
【００４０】
図３は、本発明の実施例のブロック図である。加入者識別端末３０２には、加入者識別装置３０３と電源３０１とが含まれている。以下の説明では、加入者識別端末３０２と加入者識別装置３０３を、それぞれ、局と呼ぶ。局とは、少なくとも加入者識別装置を備えた装置のことであるため、加入者識別装置自信も局になり得る。
【００４１】
加入者識別装置３０３は、加入者識別モジュール２０１ａと第１の通信装置３０４とを備えている。第１の通信装置３０４はトランシーバで、無線通信端末４０３の第２の通信装置４０１（図４を参照）と各種データの通信を行う（図９を参照）。
【００４２】
電源３０１は、加入者識別モジュール２０１ａおよびトランシーバに電源を供給する。
【００４３】
図４は、本発明の構成１の実施例のブロック図を示している。この構成には、無線通信端末４０３と本発明による加入者識別装置３０３ａが組み込まれた加入者識別端末３０２とが含まれている。無線通信端末４０３と加入者識別端末３０２とは、お互いに分離されている。以下の説明で、分離は少なくとも電気的に分離されていることを意味するが、本発明の好ましい実施例では、電気的にも物理的にも分離されていることを意味する。
【００４４】
加入者識別端末３０２と加入者識別装置３０３ａも、それぞれ、局と呼ばれる。上記で説明したように、局は少なくとも加入者識別装置を含む装置である。
【００４５】
無線通信端末４０３は、例えば、移動局、即ち、携帯電話、ページャー、連絡機構、つまり、いわゆる電子手帳などの携帯無線通信装置でよい。また、無線通信端末は、テレファックスのような非携帯無線通信装置、パーソナルコンピュータ、または電子手帳などでもよい。無線通信端末４０３は、音声、データ、または映像の送受信などに使用される。
【００４６】
無線端末４０３は、第２の通信装置４０１を備えている。無線端末は、トランシーバである第２の通信装置４０１を使用し、加入者識別端末３０２に含まれている加入者識別装置３０３ａの第１の通信装置３０４と、ローカル無線通信リンク４０４を介して各種データの通信を行う（図９を参照）。ローカル無線通信リンク４０４（４０４ａ、４０４ｂ、４０４ｃ、４０４ｄ）は、加入者識別装置３０３（３０３ａ、３０３ｂ、３０３ｃ）の第１の通信装置３０４と加入者識別装置の近くにローカルに設置されている送信機または受信機（あるいはその両方）とのローカルリンクとして定義されている。図４と本発明の好ましい実施例では、加入者識別装置の近くにローカルに設置されている送信機または受信機（あるいはその両方）は、無線通信端末４０３に含まれている第２の通信装置４０１である。しかし、本発明の別の実施例では、無線通信端末４０３に含まれていないトランシーバが、加入者識別装置の近くにローカルに設置されている（この実施例はどの図にも示されていない）。この実施例では、無線通信端末４０３の近くにローカルに設置されるトランシーバは、ローカル無線通信リンクを介して受信した信号を無線端末４０３の第２の通信装置４０１へ送信する（つまり、リピート操作を実行している）。
【００４７】
図４では、無線端末４０３は第２の通信装置４０１とトランシーバ４０２とを備えている。端末４０３は、無線通信システム１０１とトランシーバ４０２を介して通信する（図１を参照）。しかし、本発明の別の実施例では、無線通信システム１０１との通信に使用するトランシーバ４０２は、端末４０３の第２の通信装置４０１に組み込まれている。
【００４８】
ローカル無線通信リンク４０４は、無線周波数範囲内などでよい。本発明の１実施例では、ローカル無線通信リンク４０４は約２．４ＧＨｚの周波数範囲内である。ローカル無線通信リンク４０４は、赤外線周波数範囲内であってもよい。しかし、ローカル無線通信リンクは、電磁リンク、磁気リンク、または誘導リンクなど、任意の無線リンクでよい。電磁リンクの例は、マイクロウエーブ周波数範囲、無線周波数範囲、または光学周波数範囲内のリンクである。
【００４９】
しかし、これらの種類の（プライベート）アプリケーションのために使用できるスペクトルはあまりない。例えば、米国では、９００ＭＨｚ、２．４ＧＨｚ、及び５．７ＧＨｚのＩＳＭ（産業、科学、医療）帯域は認可されてなく、送信パワーレベルが低いかまたは拡散が行われている場合だけ、自由に使用できる。２．４ＧＨｚ帯域は、グローバルにも使用できる。干渉を避けるために、周波数ホッピングまたはダイレクトシーケンススペクトラム拡散のいずれかを適用する必要がある。
【００５０】
本発明の実施例では、２．４ＧＨｚ  ＩＳＭ帯域（２４００ＭＨｚから２４８３．５ＭＨｚ）を無線ローカル通信リンク４０４に使用するものとする。帯域外放出要件を満たすための狭周波数範囲フィルタの使用を避ける目的で、適用する無線帯域は、できれば、ＩＳＭ帯域の境界帯域からは離す方が望ましい。電子レンジの動作範囲である２４３５ＭＨｚから２４６５ＭＨｚの部分など、既知の干渉域も避ける方が望ましい。ユーザコードを無線周波数搬送波にマップするために、ＦＳＫ（ファーストシフトキーイング）を使用できる。ＦＳＫ変調方式では、ｆRFを搬送波周波数とした場合、「ゼロ」を表すビットを周波数ｆRF＋Δｆにマップし、「１」を表すビットを周波数ｆRF−Δｆにマップする（その逆も可能）。周波数偏移Δｆは、送信機と受信機間の周波数オフセットに見合うだけ大きくする。例えば、精度が±ＰＰＭ（百万分率）である不十分な周波数参照を使用すると、最悪の場合、周波数オフセットは最大２４０ｋＨｚになる。この場合、バーストを受け取るために、周波数偏移Δｆを２４０ｋＨｚより大きくしなければならない。
【００５１】
安全な無線通信リンクを確立して第３者が重要な情報を傍受できないようにするため、ローカル無線通信リンク４０４は暗号化する。
【００５２】
少なくとも１つの中継器（図には示されていない）を挿入することも可能であることを述べておく。この中継器は、第１の通信装置３０４と第２の通信装置４０１との間の無線通信リンク４０４を介して転送される情報を中継するものである。
【００５３】
本発明の１実施例では、加入者識別端末３０２に含まれる加入者識別モジュール２０１ａ（図３を参照）は追加機能を持っていて、これらの機能により加入者識別端末をクレジットカードまたはキャッシュカードとして使用できる。加入者識別モジュール２０１ａが幾つかの機能を持っていれば有利である。請求管理サポートシステムＢＡＳＳ（図１を参照）は、請求管理をサポートする。本実施例では、加入者識別モジュール２０１ａを無線端末４０３から切り離しておくことを本発明の利点の１つとしている。これは、加入者識別端末３０２に含まれる加入者識別モジュール２０１ａを財布に入れて運ぶことが可能になるからである。
【００５４】
図５は、２台の無線通信端末４０３ａ、４０３ｂとこれらに共通な加入者識別装置３０３ｂとを備えた本発明による２つの構成１ａ、１ｂをブロック図で示すもので、これらの構成はお互いに切り離されている。
【００５５】
加入者識別装置３０３ｂは、無線通信端末である局４０３ｃに含まれている。上記で説明したように、局とは少なくとも加入者識別装置を含んだ装置のことである。加入者識別装置３０３ｂは、無線通信端末４０３ｃの内部回路６０１に接続されている。内部回路６０１にはコントローラが含まれている。
【００５６】
構成１ａは、加入者識別装置３０３ｂとテレファックスである無線通信端末４０３ａとを備えている。無線端末４０３ａは、ＧＳＭなどの無線通信システムと交信するためのトランシーバ５０１ａと加入者識別装置３０３ｂと交信するためのトランシーバ４０１ａである第２の通信装置の両方を備えている。
【００５７】
他方の構成１ｂは、加入者識別装置３０３ｂと電子手帳である無線通信端末４０３ｂとを備えている。無線端末４０３ｂは、ＧＳＭなどの無線通信システムで交信するためのトランシーバ５０１ｂと加入者識別装置３０３ｂと交信するためのトランシーバ４０１ｂとを備えている。
【００５８】
加入者識別装置３０３ｂの加入者識別モジュール２０１（図２を参照）は、無線端末４０３ｃに対する加入者識別モジュールとして機能するか、または２つの構成１ａ、１ｂのいずれかに対する加入者識別モジュールとして機能する。この場合、加入者識別装置３０３ｂは、２台の無線端末４０３ａ、４０３ｂのいずれかとローカル無線リンク４０４ａ、４０４ｂを介して通信する。本発明の１実施例では、トランシーバ４０１ａ、４０１ｂの片方または両方が遠隔加入者識別装置３０３ｂが備わっていることを検出すると、端末４０３ａ、４０３ｂのいずれかが加入者識別装置３０３ｂの制御下に入る。無線通信システム１０１では、これにより、通信チャネルを介した基地トランシーバ局ＢＴＳ１とのすべての通信はトランシーバ５０１ａまたはトランシーバ５０１ｂのいずれかを使用することになる（図１を参照）。本発明の別の実施例であって、無線端末４０３ａと無線端末４０３ｂとがお互いに物理的に近い、例えば、お互いに１０ｍ以内である場合、端末４０３ａ、４０３ｂのどちらが基地局からの入力呼出しに応答するかについてお互いに優先順位を持つことができる。しかし、端末４０３ａ、４０３ｂの両方とも加入者識別装置３０３ｂとのローカル無線リンク４０４ａ、４０４ｂを介して通信を確立する。
【００５９】
基地局から無線端末４０３ａ、４０３ｂへ送られてくる入力呼出しは、加入者識別を３０３ｂの制御下にある端末４０３ａ、４０３ｂに進路付けされる。
【００６０】
本発明の１実施例では、加入者識別装置３０３ｂは、メモリー５０２に情報を格納している。この情報は、無線通信端末４０３ａ、４０３ｂのどちらかが、ローカル無線通信リンク４０４ａ、４０４ｂを介して加入者識別モジュール関連データ９０１（図９を参照）を加入者識別装置３０３ｂと通信する権限を持っているかを示すものである。ＧＳＭネットワークでは、国際移動局装置識別（ＩＭＥＩ）を使用し、無線端末４０３ａ、４０３ｂを固有に識別している。加入者識別装置３０３ｂには、端末４０３ａと４０３ｂのどちらが基地局からの入力呼出しに応答するかに関する相互優先順位に関する情報も含まれている。この相互優先順位は、基地局から無線端末４０３ａ、４０３ｂへ送信される入力呼出しが提供するサービスに従って変えることができる。例えば、音声サービスを第１相互優先順位にし、短メッセージサービスＳＭＳなどのデータサービスを第２相互優先順位にし、テレファックスサービスを第３相互優先順位にすることができる。例えば、入力されるテレファックス呼出しは、テレファックス４０３ａにより自動的に応答するようにしてもよい。相互優先順位は、加入者識別装置３０３ｂにより自動的に決まるか、またはユーザにより手動操作で決めることができる。相互優先順位は、加入者識別装置３０３ｂまたは無線端末４０３ａ、４０３ｂ、４０３ｃのいずれかのユーザインターフェース（図５には示されていない）により手動操作で決めることができる。入力呼出しの加入者識別によっても、相互優先順位を決めることができる。
【００６１】
無線端末４０３ａ、４０３ｂから基地局への出力呼出しを端末４０３ａと４０３ｂのどちらが送信するかに関する相互優先順位は、トランシーバ４０１ａ、４０１ｂのどちらがローカル無線リンク４０４ａ、４０４ｂを介して加入者識別装置３０３ｂとの通信を最初に確立するかに従って決めることができる。したがって、加入者識別モジュール２０１（図２を参照）への情報の読取りまたは書込み（あるいはその両方）に関する相互優先順位は、トランシーバ４０１ａ、４０１ｂのどちらがローカル無線リンク４０４ａ、４０４ｂを介して加入者識別装置３０３ｂと最初に通信を確立するかに従って決めることができる。このような情報は、アドレス帳または短メッセージサービスで使用される情報などである。
【００６２】
本発明の１実施例では、端末４０３ａ、４０３ｂの両方が無線通信システム１０１で同時に通信する。この場合、端末４０３ａと４０３ｂの両方が、ローカル無線リンク４０４ａ、４０４ｂを介して同時に通信を確立する。この実施例では、各端末４０３ａ、４０３ｂに割り当ててある特定の識別情報（ＧＳＭネットワークでは国際移動局装置識別（ＩＭＥＩ））を使用し、端末４０３ａ、４０３ｂをお互いに区別する。
【００６３】
本発明の好ましい実施例では、メモリー５０２を個人識別番号ＰＩＮ（図２を参照）で保護する。メモリー５０２に記憶されている端末に関する情報を削除する場合、または端末４０３ａ、４０３ｂ以外の別の端末（図５に示されていない）に関する情報をメモリー５０２に追加する場合、個人識別番号ＰＩＮをキーパッドなどから最初に入力する必要がある。
【００６４】
図６ａは、基地局ＢＴＳ１と、本発明による２つの構成１ｃ、１ｄを示すブロック図である。これらの構成には、２台の無線通信端末４０３、４０３ｆと１台の加入者識別装置３０３ａとがある。
【００６５】
加入者識別装置３０３ａは局３０２に含まれているが、この局は、加入者識別端末３０２である。加入者識別端末３０２は、トランシーバである第１の通信手段３０４を備えている。
【００６６】
本発明による構成１ｃは、加入者識別装置３０３ａと携帯電話である無線通信端末４０３ａとを備えている。携帯電話は、第２の通信装置４０１とトランシーバ４０２とを備えている。携帯電話は、無線通信システム１０１（図１を参照）の基地トランシーバ局ＢＴＳ１と、通信チャネルＣＨａを介してトランシーバ４０２により通信する。携帯電話は、ローカル無線通信リンク４０４ｃを介して第２の通信装置４０１により、第１の通信装置３０４と通信する。
【００６７】
本発明による構成１ｄは、加入者識別端末３０２と、電子手帳である無線通信端末４０３ｆとを備えている。電子手帳は、第２の通信装置４０１ａとトランシーバ４０２ａとを備えている。電子手帳は、通信チャネルＣＨｂを介してトランシーバ４０２ａにより、無線通信システム１０１（図１を参照）の基地トランシーバ局ＢＴＳ１と通信する。電子手帳は、ローカル無線通信リンク４０４ｄを介して第２の通信装置４０１ａにより、第１の通信装置３０４と通信する。
【００６８】
複数の無線通信端末（図６の２台の端末４０３、４０３ｆ）が、１台の加入者識別装置３０３ａと通信できると言うことができる。また、同一の端末も、異なった加入者識別装置（どの図にも示されていない）と通信できる。したがって、異なった加入者識別装置の複数の異なった加入者は、使用される無線端末が１台の場合でも、無線通信システム１０１（図１を参照）で通信できる。
【００６９】
図６ｂは、基地局ＢＴＳ１と２台の無線通信端末４０３、４０３ｆ間、及び２台の無線通信端末４０３、４０３ｆと加入者識別装置３０３ａ間における本発明による信号通信を示す図である。基地局ＢＴＳ１、２台の無線通信端末４０３、４０３ｆ、及び加入者識別装置３０３ａは、図６のブロック図に示してある。音声通信の場合、携帯電話である無線端末４０３は、加入者識別装置３０３ａに対し、及び電子手帳である無線端末４０３ｆに対し、マスターになる。また、データ及びテレファックス通信の場合、電子手帳４０３ｆは、加入者識別装置３０３ａに対し、及び携帯電話である無線通信端末４０３に対し、マスターになる。
【００７０】
図６ｂに示す信号通信図では、携帯電話４０３と加入者識別装置３０３ａ間のローカル無線リンク４０４ｃ（図６ａを参照）、及び電子手帳４０３ｆと加入者識別装置３０３ａ間のローカル無線リンク４０４ｄは、すでに確立されている。
【００７１】
図６ｂは、基地局ＢＴＳ１と電子手帳４０３ｆ間のデータ呼出しの信号通信を示したものである。第１のステップ６０１ｂでは、基地局ＢＴＳ１から携帯電話４０３へのデータ呼出し要求が出される。次のステップ６０２ｂでは、携帯電話４０３から加入者識別装置３０３ａへのデータ呼出し通知が出される。次のステップ６０３ｂでは、加入者識別装置３０３ａから電子手帳４０３ｆへのデータ呼出し通知が出される。次のステップ６０４ｂでは、加入者識別装置３０３ａは、加入者識別装置３０３ａがビジー状態であることを携帯電話４０３へ知らせる。次のステップ６０５ｂでは、電子手帳４０３ｆが基地局ＢＴＳ１からのデータ呼出しに応答する。ステップ６０５ｂでは、加入者識別９０２などの加入者識別モジュール関連データ９０１が送信される。図６ｂなどのＧＳＭネットワークにおける信号通信では、加入者識別９０２は国際移動加入者識別（ＩＭＳＩ）である。次のステップ６０６ｂでは、電子手帳４０３ｆと基地局ＢＴＳ１間でデータ呼出し信号通信が設定される。次のステップ６０７ｂでは、電子手帳４０３ｆと加入者識別装置３０３ａ間でデータ呼出し信号通信が設定される。データ呼出しが終了するとき、電子手帳４０３ｆと加入者識別装置３０３ａ間のデータ呼出し信号通信は、次のステップ６０８ｂで切断される。次のステップ６０９ｂでは、電子手帳４０３ｆと加入者識別装置３０３ａ間のデータ呼出し信号通信が切断される。最後に、次のステップ６１０ｂで、加入者識別装置３０３ａは、加入者識別装置が遊休状態である旨、携帯電話４０３に通知する。
【００７２】
図７は本発明による認証構成１ｅを示すブロック図で、お互いに切り離されている無線通信端末４０３ｅと加入者識別装置３０３ｃとがこの構成に接続されている。
【００７３】
加入者識別装置３０３ｃは、無線通信端末４０３ｄである局に含まれている。上記で説明したように、局とは、少なくとも加入者識別装置を含む装置のことである。加入者識別装置３０３ｃは、無線端末４０３ｄの内部回路６０１に接続されている。内部回路６０１には、コントローラが含まれている。
【００７４】
加入者識別装置３０３ｃは、トランシーバである第１の通信装置３０４を備えている。トランシーバ３０４は、ローカル無線リンク４０４ｃを介して無線端末４０３ｅのトランシーバ４０１と通信する。無線端末４０３ｅには音声活動検出装置（ＶＡＤ）が含まれていて、この装置は外部マイクロフォン６０２に接続されている。また、外部スピーカ６０３、外部プロセッサ６０４、外部アンテナ６０５、外部キーパッド６０６、及び外部表示装置６０７も無線端末４０３ｅに接続されている。外部プロセッサ６０４には地上測位システムＧＰＳが含まれていて、このシステムは無線通信端末４０３ｅの位置を登録する。
【００７５】
加入者識別装置３０３ｃの加入者識別モジュール２０１ａ（図３を参照）は、無線端末４０３ｄに対する加入者識別モジュールとして、または認証構成１ｅの加入者識別モジュールとして機能する。本発明の１実施例では、トランシーバ４０１が遠隔加入者識別装置３０３ｃを検出すると、無線端末４０３ｅは加入者識別装置３０３の制御下に入る。ＧＳＭネットワークでは、これにより通信チャネルＣＨを介して行われる基地トランシーバ局ＢＴＳ１とのすべての交信はアンテナ６０５を使用することになる（図１を参照）。
【００７６】
無線通信端末は、自動車などに設置可能である。この場合、トランシーバ４０１、マイクロフォン６０２、スピーカ６０３、プロセッサ６０４、アンテナ６０５、キーパッド６０６、及び表示装置６０７などは、すべて自動車の装置となる。ダイヤリング、応答、及び他の操作は、自動車に組み込まれているキーパッド６０６を使用することも、また自動車に組み込まれているマイクロフォン６０２を使用して音声制御することも可能である。また、無線端末４０３ｄのキーパッドを使用し、ダイヤリング、応答、及び他の操作を実行できる。自動車の中で手を使わなくてもよい快適な環境が実現できることは利点である。また、自動車の装置を無線端末４０３ｅへ接続するためにケーブルや電子部品を使用しなくても済むことも利点である。つまり、無線端末４０３ｅを自動車の装置へ物理的に接続する必要がない点が利点である。
【００７７】
図８は、加入者識別モジュール関連データ９０１（図９を参照）を無線通信システムで通信するための本発明による方法をフローチャートで示してある。以下の本文で参照する参照記号は、上記の図で示したものである。
【００７８】
図８の方法の始点は、スタート位置８０１である。次のステップ８０２で、加入者識別９０２を加入者識別モジュール２０１へ割り当てる。次のステップ８０３で、加入者識別装置３０３を第１の無線通信端末４０３から切り離す。次のステップ８０４で、加入者識別装置３０３の第１の通信装置３０４と第１の無線通信端末４０３の第２の通信装置４０１との間のローカル無線通信リンク４０４を介し、通信を確立する。次のステップ８０５で、加入者識別モジュール関連データ９０１は、加入者識別装置３０３に構成されている第１の通信装置３０４を介し、第１の無線通信端末４０３に構成されている第２の通信装置４０１と、ローカル無線通信リンク４０４を介して送信される。最後に、この方法は終点８０６で終了する。
【００７９】
図９は、無線通信端末４０３、加入者識別装置３０３ａ、及びＧＳＭネットワークである無線通信システム１０１（図１を参照）の基地局ＢＴＳ１との間の信号通信を示す図である。基地局ＢＴＳ１、無線通信端末４０３、及び加入者識別装置３０３ａは、図６ａでブロック図に示してある。
【００８０】
第１のステップ９０３及び第２のステップ９０４で、加入者識別装置３０３ａと無線端末４０３は、ローカル無線リンク４０４（図４を参照）を介し、お互いに通信を開始する。加入者識別９０２などの加入者識別モジュール関連データ９０１は、ステップ９０３及び９０４で送信される。また、無線通信システム１０１で通信を実行するための認証が、ステップ９０３及び９０４で無線通信端末４０３に与えられる。また、無線通信端末４０３は、基地局ＢＴＳ１からの入力呼出しに関するディフォルト端末として割り当てられる。つまり、ステップ９０３及び９０４では、基地局ＢＴＳ１からの入力呼出しは無線通信端末４０３へ転送される。図９に示すようなＧＳＭネットワークにおける信号通信では、加入者識別９０２は国際移動加入者識別（ＩＭＳＩ）である。次のステップ９０５では、加入者識別装置３０３ａと無線端末４０３との間にローカル無線リンク４０４ｃ（図６ａを参照）を介して通信が確立される。
【００８１】
次のステップ９０６で、基地局ＢＴＳ１から無線通信端末４０３へ呼出しが出される。次のステップ９０７で、無線通信端末４０３は、基地局ＢＴＳ１からの呼出しに応答する。最後に、次のステップ９０８で、基地局ＢＴＳ１と無線通信端末４０３との間で呼出し信号通信が設定される。
【００８２】
加入者識別装置３０３ａの加入者識別モジュール（図３を参照）には、加入者識別９０２、一時ネットワークデータ、及びサービス関連データなどの各種データが含まれている。加入者識別９０２はネットワークオペレータにより入力されていて、ユーザが変更することはできない。位置情報などの一時ネットワークデータは、ネットワークから送信される情報により無線端末４０３が更新する。省略ダイヤル番号などのサービス関連データは、アクセス条件が満たされたときにユーザにより操作される。
【図面の簡単な説明】
【図１】  無線端末が使用される無線通信システムの概略を示す模式図である。
【図２】  加入者識別モジュールのブロック図である。
【図３】  加入者識別装置が含まれた加入者識別端末を備えた本発明の実施例を図示したブロック図である。
【図４】  無線通信端末及び加入者識別端末を備えた本発明による構成の実施例を図示したブロック図である。
【図５】  ２台の無線通信端末と、加入者識別装置を有する１つの無線局とを備えた本発明による２つの構成を図示したブロック図である。
【図６ａ】  基地局と、２台の無線通信端末と１台の加入者識別装置とを備えた本発明による２つの構成とを図示したブロック図である。
【図６ｂ】  基地局と２台の無線通信端末との間及び２台の無線通信端末と１台の加入者識別装置との間の本発明による信号通信を示した図である。
【図７】  無線通信端末と、加入者識別装置を含んだ無線局とを備えた本発明の構成の実施例を図示したブロック図である。
【図８】  無線通信システムにおける加入者識別モジュール関連データの通信を行うための本発明による方法を示すフローチャートである。
【図９】  無線通信システムの無線通信端末、加入者識別装置、及び基地局間における本発明の信号通信を示す図である。
【図１】
0004256071.tif 000002
【図２】
0004256071.tif 000003
【図３】
0004256071.tif 000004
【図４】
0004256071.tif 000005
【図５】
0004256071.tif 000006
【図６ａ】
0004256071.tif 000007
【図６ｂ】
0004256071.tif 000008
【図７】
0004256071.tif 000009
【図８】
0004256071.tif 000010
【図９】
0004256071.tif 000011